(57)【要約】      （修正有）【課題】人の目の周囲に塗布ないし付着された化粧材料を簡便に洗い落とすことができる化粧材料洗浄具を提供する。【解決手段】先端に洗浄用ブラシ３を取り付けた中継ぎ部材２と、中継ぎ部材の後端取り付けられた洗浄液タンク５とを具え、中継ぎ部材にの洗浄液連通孔を通じて洗浄液タンクから洗浄用ブラシに洗浄液連通孔２Ｄを設け、洗浄液タンクから洗浄液が押し出されたとき、洗浄液連通孔を経由して、先端の洗浄用ブラシに供給された洗浄液を含んだ手材３Ｂにより目の周囲の洗浄対象を洗い落とす。【選択図】図２
2010158290.tif 000002
【特許請求の範囲】
【請求項１】
中継ぎ部材と、
上記中継ぎ部材の先端に取り付けられた洗浄用ブラシと、
上記中継ぎ部材の後端に取り付けられた洗浄液タンクと
を具え、上記中継ぎ部材は、上記洗浄液タンクが洗浄液を押し出したとき、当該洗浄液を上記洗浄液タンクから上記洗浄用ブラシに供給する洗浄液連通孔を有する
ことを特徴とする化粧材料洗浄具。
【請求項２】
上記洗浄用ブラシは、上記中継ぎ部材の先端から突出するように取り付けられた円柱状ブラシ型ブラシで構成された
ことを特徴とする請求項１に記載の化粧材料洗浄具。
【請求項３】
上記洗浄用ブラシは、上記中継ぎ部材の先端から突出するように取り付けられたはけ型ブラシで構成された
ことを特徴とする請求項１に記載の化粧材料洗浄具。
【請求項４】
上記洗浄用ブラシは、上記中継ぎ部材の先端から突出するように取り付けられた歯ブラシ型ブラシで構成された
ことを特徴とする請求項１に記載の化粧材料洗浄具。
【請求項５】
上記中継ぎ部材は、上記円柱状ブラシを取り付けるための第１の取り付け孔と、上記はけ型ブラシ又は上記歯ブラシ型ブラシを取り付けるための第２の取り付け孔とを有する
ことを特徴とする請求項１に記載の化粧材料洗浄具。
【請求項６】
上記洗浄液タンク内において、上記中継ぎ部材の後端に、後方に延長する把持子を設け、上記洗浄液タンクを上記中継ぎ部材から取りはずして、ユーザが上記把持子を把持して上記中継ぎ部材の先端に取り付けられた洗浄用ブラシを用いて洗浄操作できるようにする
ことを特徴とする請求項１に記載の化粧材料洗浄具。
【発明の詳細な説明】
【技術分野】
【０００１】
本発明は化粧材料洗浄具に関し、特に人の目の周囲に塗布ないし付着された化粧材料を簡便に洗浄できるようにしたものである。
【背景技術】
【０００２】
化粧のために目の周囲に塗布ないし付着される化粧材料として、従来から、まつ毛についてマスカラ液を塗布したり、まぶたにアイラインを書いたり、つけまつ毛に接着剤を付着させたりすることが行われている。
【０００３】
これらの化粧用材料を落す手法としては、当該化粧材料専用に用意された除去液を綿棒やティッシュペーパーに含ませてまつ毛やまぶたを擦ったり、挟んだりすることにより、当該化粧材料を拭い取る方法を用いたり、クレンジングクリームを塗ってコットンで拭き取ったり、洗顔をする際に目の周囲に石鹸を塗って指で擦りながら湯又は水で洗い流すような手法を用いている（特許文献１参照）。
【先行技術文献】
【特許文献】
【０００４】
【特許文献１】特開２００８−１６７７８１公報
【発明の概要】
【発明が解決しようとする課題】
【０００５】
このような従来の手法は、化粧材料を除去するごとにまつ毛を擦ったり挟んだりすることになるので、結局まつ毛が抜けたり、折れたり、曲ったりすることによりまつ毛を傷めるような結果になっている。
【０００６】
実際上、まつ毛は髪の毛のように毛量が多くなく、極めて少ないのであるから、抜けたり折れたりさせるようなことはできるだけ回避することが望ましい。
【０００７】
本発明は以上の点を考慮してなされたもので、目の周囲に塗布された化粧用材料を簡便かつ安全に洗浄できるようにした塗布液洗浄具を提案するものである。
【課題を解決するための手段】
【０００８】
かかる課題を解決するため本発明においては、中継ぎ部材２と、中継ぎ部材２の先端に取り付けられた洗浄用ブラシ３と、中継ぎ部材２の後端に取り付けられた洗浄液タンク５とを具え、中継ぎ部材２は、洗浄液タンク５から洗浄液が押し出されたとき、当該洗浄液を洗浄液タンク５から洗浄ブラシ３に供給する洗浄液連通孔２Ｄを設けるようにする。
【発明の効果】
【０００９】
本発明によれば、中継ぎ部材の洗浄液連通孔を通じて洗浄液タンクから洗浄用ブラシに供給した洗浄液を用いて洗浄用ブラシによって目の周囲の洗浄対象部位を洗浄することにより、当該洗浄対象を簡便かつ安全に洗浄し得る化粧材料洗浄具を実現できる。
【図面の簡単な説明】
【００１０】
【図１】第１の実施の形態の化粧材料洗浄具を示す側面図である。
【図２】図１の縦断面図である。
【図３】図１の分解図である。
【図４】図１の化粧材料洗浄具の使用態様の変形例を示す側面図である。
【図５】図１の変形例を示す斜視図である。
【図６】第２の実施の形態の化粧材料洗浄具を示す斜視図である。
【図７】第３の実施の形態の化粧材料洗浄具を示す斜視図である。
【図８】第４の実施の形態の化粧材料洗浄具を示す斜視図である。
【図９】（Ａ）及び（Ｂ）は、第５の実施の形態の化粧材料洗浄具を示す斜視図及び一部断面図である。
【図１０】図９の第１の変形例を示す一部断面図である。
【図１１】図９の第２の変形例を示す斜視図である。
【図１２】図９の第３の変形例を示す斜視図である。
【図１３】（Ａ）は第６の実施の形態の化粧材料洗浄具を示す斜視図であり、（Ｂ）はＢ１−Ｂ１線上に取った断面図であり、（Ｃ）はＣ１−Ｃ１線上に取った断面図である。
【図１４】第７の実施の形態における洗浄用ブラシの付け換えの説明に供する略線的斜視図である。
【図１５】図１４の化粧材料洗浄具を示す側面図である。
【図１６】図１４及び図１５の化粧材料洗浄具の変形例を示す斜視図である。
【図１７】第８の実施の形態を示す側面図である。
【図１８】図１７のＤ１−Ｄ１断面構造を示す断面図である。
【図１９】第９の実施の形態を示す側面図である。
【図２０】図１９のＥ１−Ｅ１断面構造を示す断面図である。
【図２１】第１０の実施の形態を示す斜視図である。
【図２２】第１１の実施の形態を示す斜視図である。
【図２３】第１２の実施の形態を示す斜視図である。
【図２４】第１３の実施の形態を示す側面図である。
【図２５】図２５のＦ１−Ｆ１断面構造を示す断面図である。
【図２６】第１４の実施の形態を示す断面図である。
【発明を実施するための形態】
【００１１】
以下図面について、本発明の一実施の形態を詳述する。
【００１２】
（１）第１の実施の形態
図１において、１は全体として化粧材料洗浄具を示し、化粧材料洗浄具１は合成樹脂材料で構成された円柱状中継ぎ部材２を有し、図２に示すように、中継ぎ部材２の先端部に洗浄用ブラシ３及びブラシカバー４が取り付けられていると共に、後端部に洗浄用タンク５が取り付けされている。
【００１３】
洗浄用ブラシ３は、図３に示すように、２本のステンレス線材を捩り合わせてなる心材３Ａに対して、その捩りあわせ面に太さ０．０８〔ｍｍ〕の合成樹脂材料の糸でなる毛材３Ｂを挟み付け保持することにより全体として毛材３Ｂが放射状に外方に突出すると共に、毛先が円柱状に切り揃えられた円柱状ブラシ形状を有し、その心材３Ａが中継ぎ部材２の先端部に穿設された取付け孔２Ａに嵌着保持されている。
【００１４】
かくして洗浄用ブラシ３は中継ぎ部材２から前方に突出すると共に、中継ぎ部材２の外周面に設けられたローレット２Ｂをユーザが指で持って回動操作したとき、洗浄用ブラシ３が中継ぎ部材２と一体になって心材３Ａを中心として回動動作するようになれている。
【００１５】
洗浄タンク５は、図３に示すように、後端面を閉塞してなる可撓性を有する円筒状合成樹脂材料でなるタンク本体５Ａの先端に円筒状の取付け孔５Ｂを有し、この取付け孔５Ｂの周囲に形成された雄ねじ構成の取付けねじ５Ｂを中継ぎ部材２の後端部に形成された雌ねじ構成の取付けねじ２Ｃにねじ込むことにより、取り付け孔５Ｂに蓋をするように一体に取り付けられる。
【００１６】
かくして、洗浄タンク５に洗浄液を入れた状態で、取付けねじ５Ｃを中継ぎ部材２の取付けねじ２Ｃにねじ込むことにより、内部に洗浄液を保持した洗浄液タンク５を中継ぎ部材２に取り付けることにより、中継ぎ部材２がローレット２Ｂによって回動操作されたとき、洗浄液タンク５が内部に洗浄液を保持しながら中継ぎ部材２と一体に回動動作するようになされている。
【００１７】
中継ぎ部材２の取付けねじ２Ｃに洗浄液タンク５の取付けねじ５Ｃがねじ込まれるとき、取付け孔５Ｂと中継ぎ部材２との間にＯリング６を介挿することにより液漏れを防ぐ。
【００１８】
中継ぎ部材２には、後端面から前端面に貫通するように洗浄用連通孔２Ｄが形成され、これにより洗浄液タンク５内から押し出された洗浄液を洗浄液連通孔２Ｄを通って中継ぎ部材２の先端面側に供給し得るようになされている。
【００１９】
中継ぎ部材２の先端部には、円柱状取付け突起２Ｅが形成され、当該取付け突起２Ｅにブラシカバー４の後端部に形成された円筒状取付け孔４Ａを嵌め込むことにより、洗浄用ブラシ３と対向するようにブラシカバー４の断面円弧状のカバー部４Ｂが設けられる。
【００２０】
以上の構成において、ユーザが目の周囲に塗布ないし付着している化粧材料を洗浄するときには、ユーザは、洗浄液タンク５に洗浄液として例えば石鹸水を入れた状態で、顔を前方下向きに傾けると共に、中継ぎ部材２のローレット２Ｂを指で把持して、ブラシカバー４を下側にしかつ洗浄用ブラシ３を上側に向けた状態で、洗浄用ブラシ３を目の周囲のまつ毛ないしまぶたに対向させた状態に構える。
【００２１】
この状態においてユーザは、洗浄液タンク５を手のひらで押圧することにより洗浄液を押し出しながら、中継ぎ部材２のローレット２Ｄを回動方向ないし前後方向に動かす。
【００２２】
このとき洗浄液タンク５はユーザの手のひらによる押圧操作によってタンク内の圧力が上昇することにより、洗浄液を中継ぎ部材２の洗浄液連通孔２Ｂを通って中継ぎ部材２の先端面側に押し出す。
【００２３】
かくして押し出された洗浄液はブラシカバー４の内面上を流れて当該ブラシカバー４上にある洗浄用ブラシ３に含ませる。
【００２４】
かくして洗浄用ブラシ３は洗浄液を含んだ状態で、ユーザのローレット２Ｂの動きに応じて回動方向又は前後方向に動くことにより、洗浄用ブラシ３の毛材３Ｂの先端がまつ毛ないしまぶたに触れながら洗浄液を供給できる状態になる。
【００２５】
かくしてまつ毛ないしまぶたに塗布されている化粧用塗布液に対して石鹸水が流されると共に、洗浄用ブラシ３の毛材３Ｂが糸径が０．０８〔ｍｍ〕程度の細い糸材で構成されていることにより先端が回動方向ないし前後方向に往復動作しながら当該まつ毛ないしまぶたに柔らかく接触し、これによりまつ毛ないしまぶたに塗布ないし付着された化粧材料が毛材３Ｂの先端によってかき落されながら石鹸水によって洗い落される。
【００２６】
かくするにつき、洗浄用ブラシ３の毛材３Ｂが糸径が細い糸材で構成されているので、まつ毛ないしまぶたに触れる毛材３Ｂの当たりが柔らかいことにより、目の周りの化粧材料が塗布ないし付着することによって汚されたその周囲の部分を簡便かつ安全に洗浄することができる。
【００２７】
このとき目の周りの部分に同時に冷水又は湯水を流せば洗浄効果を高めることができる。
【００２８】
この実施の形態の場合、中継ぎ部材２の後端部には、棒状の取付け突起２Ｆが設けられ、この取付け突起２Ｆに対して板状の把持子６の切れ目６Ａが嵌め込まれている。
【００２９】
この把持子６は、中継ぎ部材２から洗浄液タンク５を取り外すことにより、図４に示すように、外部に露出した状態になる。
【００３０】
このときユーザは洗浄液として石鹸水を入れた洗浄液槽を別途用意し、把持子６を手に持って先端の洗浄用ブラシ５を当該用意された洗浄液槽に浸した後洗浄用ブラシ２を洗浄すべき目の周囲に持って来て把持子６を回動操作ないし前後移動操作することにより石鹸水が浸された洗浄用ブラシ３によって洗浄対象部位、すなわち目の周囲を洗浄させる。
【００３１】
ここで洗浄液が足りなければ、ユーザは把持子６を持ったままその先端の洗浄用ブラシ３を用意された洗浄液槽に浸した後、繰り返し洗浄操作をすることができる。
【００３２】
かくして図１の構成によれば、洗浄タンク５を取り外した状態でも、繰り返し手動操作をすることにより別途用意した洗浄液槽を用いて化粧用塗布液の洗浄を簡便かつ安全に行うことができる。
【００３３】
図５は、第１の実施の形態の変形例を示すもので、この場合図１の化粧材料洗浄具１において中継ぎ部材２からローレット２Ｂを削除した構成を有する。
【００３４】
図５の構成によっても、ユーザがローレット２Ｂに代えて洗浄液タンク５を把持した状態でこれを回動ないし前後に移動操作することにより洗浄用ブラシ４を動かすことができることによって、図１の場合と同様の化粧材料洗浄効果を得ることができる。
【００３５】
（２）第２の実施の形態
図６は第２の実施の形態を示すもので、図１〜図４との対応部分に同一符号を付して示すように、図１の構成からブラシカバー４を削除した構成の化粧材料洗浄具１と、排液受け具６とを有する。
【００３６】
図６の構成によれば、目の周囲の洗浄対象に対する洗浄操作をする際、オペレータは、手のひらによって洗浄液タンク５を押すことによって洗浄液タンク５内の洗浄液を洗浄液連通孔２Ｄを介して洗浄用ブラシ３の方向に押し出す。
【００３７】
ここで排液受け具６は、箱型の受け皿部６Ａと、回動型の受け板部６Ｂとを有し、ユーザは受け皿部６Ａの縁部分を顔に当てると共に、受け板部６Ｂを軸支部６Ｃを中心として回動させることにより、洗浄に使った洗浄水を主として受け皿部６Ａに流すようにすると共に、洗浄水の発散範囲を拡大させないように、受け皿部６Ａの開口をせばめるようにする。
【００３８】
このとき送り出された洗浄液はカバー部４Ｂがないことにより規制されずに広い範囲に飛散する可能性はあるが、当該発散した洗浄液を排液受け具６に受けるようにする。
【００３９】
かくして洗浄用ブラシ３に洗浄に必要な量の洗浄液が浸されたことを確認した後、ユーザが洗浄用ブラシ３を洗浄対象に当ててローレット２Ｂないし洗浄液タンク５を使って回動操作すれば、洗浄用ブラシ３に浸された洗浄液が確実に目の周囲の洗浄対象部位に供給される。
【００４０】
従って図６の構成によっても、図１について上述したと同様に、まつ毛やまぶたに余分な刺激を与えることなく、当該まつ毛やまぶたに塗布された塗布液を簡便かつ安全に洗浄することができる。
【００４１】
（３）第３の実施の形態
図７は第３の実施の形態を示すもので、図１との対応部分に同一符号を付して示すように、この場合図１の洗浄液タンク５及びブラシカバー４をもたない構成を有すると共に、把持子６Ｘとして断面円形の棒状合成樹脂材料を中継ぎ部材２の後端面から後方に突出させた構成を有する。
【００４２】
図７の構成において、ユーザは把持子６Ｘを把持して先端の洗浄用ブラシ３を、別途用意した洗浄液槽に繰り返し浸しながら、洗浄液を含ませた洗浄用ブラシ３を洗浄対象の目の周囲の部位に接触させ、この状態においてローレット２Ｂを用いて洗浄用ブラシ３を往復回動ないし前後に移動動作させる。
【００４３】
かくして図７の構成の塗布液洗浄具によっても、洗浄用ブラシ３に浸透保持された洗浄液を洗浄部位に供給しながら洗浄用ブラシ３の毛材３Ｂを洗浄対象に接触させることにより化粧用塗布液を簡便かつ安全に洗浄することができる。
【００４４】
（４）第４の実施の形態
図８は第４の実施の形態を示すもので、図６との対応部分に同一符号を付して示すように、中継ぎ部材２内に洗浄液ポンプ１１を内蔵する。
【００４５】
洗浄液ポンプ１１は洗浄液タンク５の洗浄液を洗浄用ブラシ３に供給する洗浄液連通孔２Ｄの途中に設けられ、中継ぎ部材２の開口２Ｇから外方に突出する洗浄液レバー１１Ａを先端側の洗浄用ブラシ３の方向から後端側洗浄液タンク５側に引くごとに、１回分の洗浄液を洗浄液タンク５から洗浄液連通孔２Ｄを介して洗浄用ブラシ３に供給できるようになされている。
【００４６】
図８の構成において、目の周囲の洗浄対象部位に対して洗浄用ブラシ３が当たるように構えた状態で、洗浄用レバー１１Ａを１回又は複数回引けば洗浄液が１回分づつ洗浄液タンク５から洗浄液連通孔２Ｄを介して洗浄用ブラシ３に供給される。
【００４７】
このときユーザはローレット２Ｂを回動操作することにより洗浄用ブラシ３に供給された必要に応じて適量の洗浄液によって洗浄対象を洗浄することができる。
【００４８】
かくしてユーザは洗浄液タンク５から必要な分の洗浄液を洗浄液レバー１１Ａの操作をすることにより洗浄用ブラシ３に供給することにより、簡便かつ安全に洗浄対象部位を洗浄することができる。
【００４９】
（５）第５の実施の形態
図９（Ａ）は第５の実施の形態を示すもので、図６との対応部分に同一符号を付して示す。
【００５０】
この場合の塗布液洗浄具１は、中継ぎ部材２に洗浄液連通孔２Ｄを設けると共に、この中継ぎ部材２の後端に洗浄液タンク１２を設け、この洗浄液タンク１２内の洗浄液を洗浄液連通孔２Ｄを介して洗浄用ブラシ３に供給する。
【００５１】
この場合、洗浄液タンク１２には、吸入及び吐出型の洗浄液ポンプを内臓し、開口１２Ａから外方に突出する洗浄液レバー１２Ｂ（内蔵の復帰スプリングによって指を離せば引き動作状態から元の状態に復帰する）によって洗浄液ポンプを交互に吐出及び吸引動作させることにより、洗浄用ブラシ３に対して洗浄液を中継ぎ部材２の洗浄液連通孔２Ｄを介して交互に吐出及び吸引動作させる。
【００５２】
この実施の形態の場合、洗浄液連通孔２Ｄは、図９（Ｂ）に示すように、吐出孔部２Ｄ１及び吸入孔部２Ｄ２を有し、吐出孔部２Ｄ１及び吸入孔部２Ｄ２に、それぞれ閉止スプリング２１Ａ及び２２Ａによって開閉子２１Ｂ及び２２Ｂを弁座２１Ｃ及び２２Ｃに押し付けることにより、洗浄液の流れを止めるようになされている。
【００５３】
かかる構成において、洗浄液タンク内の洗浄液ポンプは、洗浄液レバー１２Ｂが引き動作（又は復帰動作）することにより洗浄液が矢印ａ（又はｂ）方向に流れるとき、水圧により開閉子２１Ｂ（又は（２２Ｂ）が閉止スプリング２１Ａ（又は２２Ａ）を圧縮させることにより弁座２１Ｃ（又は２２Ｃ）から離れ、このとき吐出孔部２Ｄ１（又は吸入孔部２Ｄ２）を通じて洗浄液が、洗浄液タンク１２側から洗浄用ブラシ３側へ（又は洗浄用ブラシ３側から洗浄液タンク１２側へ）吐出（又は吸入）するようになされている。
【００５４】
かくして図９の構成によれば、ユーザは洗浄液レバー１２Ｂを引き動作させたとき洗浄液タンク１２から洗浄液を吐出させ、これに対して洗浄液レバー１２Ｂを放して内蔵のばねによって復帰動作させたとき洗浄用ブラシ３を別途用意した洗浄液槽に突き込むことにより洗浄液を洗浄液タンク１２内に吸入させる。
【００５５】
この実施の形態の場合、洗浄液タンク１２には洗浄液レバー１２Ｂを囲うように受け台１２Ｃが設けられ、この受け台１２Ｃを手のひらに当てて洗浄液レバー１２Ｂを引くことができるようになされていると共に、ワンショット洗浄液タンク１２の先端部外周にローレット１２Ｄが形成され、これにより洗浄用ブラシ３と共に化粧材料洗浄具１を全体として回動動作させることができるようになされている。
【００５６】
図９の塗布液洗浄具１において、これを用いて洗浄操作する際に、ユーザは先ず洗浄液レバー１２Ｂを引き動作位置に引き付けた状態で、中継ぎ部材２の洗浄液連通孔２Ｄを洗浄液槽に突っ込んで洗浄液レバー１２Ｂを放すことにより洗浄液ポンプの吸引動作を利用して洗浄液タンク１２に洗浄液を溜め込む。
【００５７】
この状態においてユーザは洗浄用ブラシ３を洗浄対象となる部位に当てた状態で洗浄液レバー１２Ｂを引くことにより必要に応じて適度な洗浄液を洗浄液タンク１２から押し出して洗浄用ブラシ３を介して洗浄用部位に供給する。
【００５８】
この状態においてユーザはローレット１２Ｄを用いて洗浄用ブラシ３を回動させることにより、洗浄用ブラシ３を用いて供給されたワンショット分の洗浄液を利用して塗布液の洗浄を行うことができる。
【００５９】
図９の構成によれば、洗浄液タンク１２に対して洗浄液レバー１２Ｂの操作をするだけで、中継ぎ部材２から取りはずすことなく洗浄液を溜め込むことができるので、ユーザの操作を一段と簡易化できる。
【００６０】
図１０は図９（Ｂ）の変形例を示すもので、閉止スプリング２１Ａ及び２２Ａと開閉子２１Ｂ及び２２Ｂの構成に代え、ゴム又はポリエチレン製の板状弁２１Ｅ及び２２Ｅを用いたものである。
【００６１】
図１１は図９（Ａ）の第１の変形例を示すもので、図９（Ａ）との対応部分に同一符号を付して示すように、受け台１２ＣＸとして、ユーザが洗浄液レバー１２Ｂを引き付け操作するときに手のひらに当てる受け台１２ＣＸとして、洗浄液レバー１２Ｂを囲む部分を省略して後端部分だけを残すようにしたものである。
【００６２】
図１１の構成によれば、受け台１２ＣＸを簡易化したことにより、さらに一段と小型化をすることができる化粧材料洗浄具１を実現できる。
【００６３】
図１２は図９（Ａ）のさらに他の変形例を示すもので、図９（Ａ）との対応部分に同一符号を付して示すように、中継ぎ部材２を直角に折り曲げた構成を有すると共に、洗浄液レバー１２ＢＸとして指で下方に押し込むような構成をものを用いる。
【００６４】
これに加えて図１２の場合は、図９（Ａ）のローレット１２Ｄを省略して中継ぎ部材２が直角方向に折り曲がっていることを利用して洗浄用ブラシ３を回動ないし移動操作できるようになされている。
【００６５】
図１２の構成によっても、図９（Ａ）について上述したと同様の作用効果を得ることができる。
【００６６】
（６）第６の実施の形態
図１３は第６の実施の形態を示すもので、この場合の化粧材料洗浄具２１は、環状円錐台形状の中継ぎ部材２２の先端部２２Ａから先端方向に洗浄用ブラシ２３が突出するように設けられていると共に、後端部２２Ｂの内側面に形成されている雌ねじ部２２Ｃに洗浄液タンク２５の先端部に形成された雄ねじ部２５Ａがねじ込み保持されている。
【００６７】
洗浄用ブラシ２３は、直線的な多数の糸材でなる毛材２３Ａの後端部を集束保持部材２３Ｂによって断面形状がほぼ半円形状になるように束ねられた構成を有し、当該集束保持部材２３Ｂが中継ぎ部材２２の筒状円錐台部分に嵌め込まれることにより、毛材２３Ａが中継ぎ部材２２の先端開口から先端外方向へ突出するように保持されている。
【００６８】
かくして中継ぎ部材２２の環状円錐台形状の内部空間は、その断面半円形状部分に集束保持部材２３Ｂ及び毛材２３Ａが嵌め込まれているのに対して、残る空間部分が洗浄液タンク２５の内部空間を中継ぎ部材２２の内部を通って洗浄用ブラシ２３の毛材２３Ａの側面に連通させる洗浄液連通孔２２Ｄを形成している。
【００６９】
以上の構成において、ユーザが化粧材料洗浄具２１を用いて塗布液の洗浄をする場合、先ず洗浄液タンク２５の雄ねじ部２５Ａを中継ぎ部材２２の雌ねじ部２２Ｃからねじり外して洗浄液を内部に入れた後、中継ぎ部材２２に取り付ける。
【００７０】
この状態においてユーザが洗浄液タンク２５に圧力をかけると、内部の洗浄液は中継ぎ部材２２の洗浄液連通孔２２Ｄを通って洗浄用ブラシ２３の毛材２３Ａ上に供給される。
【００７１】
かくして洗浄液タンク２５内の洗浄液が洗浄用ブラシ２３を浸す状態になるので、ユーザは洗浄液タンク２５を把持子として手に握って洗浄用ブラシ２３の毛材２３Ａをはけブラシとして使うことにより、洗浄すべき塗布液が塗布されている洗浄対象の塗布液を洗浄用ブラシ２３によって洗浄することができる。
【００７２】
この実施の形態の場合、中継ぎ部材２２の先端部２２Ａのうち、洗浄液連通孔２２Ｄに対向する部分に四角形状の窓２２Ｅが切り欠かれており、これによりユーザが洗浄液タンク２５に圧力を加えることにより洗浄液を洗浄液連通孔２２Ｄに押し出したとき、その先端が窓２２Ｅの位置に来たとき、これを目視確認することができるようになされている。
【００７３】
かくしてユーザが当該窓２２Ｅの液面の位置を確認することにより、洗浄用ブラシ２３の毛材２３Ａに供給された洗浄液の量を確認することにより、補給すべき洗浄液が適量になるような圧力を洗浄液タンク２５に与え得るようになされている。
【００７４】
以上の構成によれば、ユーザは洗浄液タンク２５を手のひらで把持して洗浄液タンク２５に対する圧力を加減しながら洗浄すべき塗布液の洗浄を毛材２３Ａのはけ効果を利用しながら行うことができる。
【００７５】
（７）第７の実施の形態
図１４は、第７の実施の形態を示すもので、この場合は、図１〜図３との対応部分に同一符号を付して示すように、中継ぎ部材２の前端面において、洗浄用ブラシ３の心材３Ａを取り付けるための取付け孔２Ａと、洗浄液タンク５から洗浄液を供給するための洗浄液連通孔２Ｄに加えて、取付け孔２Ａの下側に洗浄用ブラシ取付孔３１を穿設する。
【００７６】
これに加えて、図１の心材３Ａに毛材３Ｂを放射方向に外方に延長させたいわゆるブラシ型の洗浄用ブラシ３に代えて、基板３２上に直線的に延長する多数の毛材３３を植立してなるいわゆる歯ブラシ型の洗浄用ブラシ３４を用意する。
【００７７】
この歯ブラシ型の洗浄用ブラシ３４の基板３２には、後方に突出するように連結子３５が突出するように設けられ、この連結子３５を中継ぎ部材２の洗浄用ブラシ取付孔３１に挿入することにより、図１５に示すように、中継ぎ部材２の先端面から歯ブラシ型の洗浄用ブラシ３４を突出させてなる化粧材料洗浄具１Ｘを得る。
【００７８】
かかる構成の化粧材料洗浄具１Ｘにおいて、洗浄動作時、洗浄液タンク５から洗浄液連通孔２Ｄを介して供給される洗浄液が、基板３２から上方に延長する多数の毛材３３上に供給され、かくして洗浄液を含んだ毛材３３を塗布液を洗浄対象の部位に当てることにより、毛材３３がブラシとしての洗浄機能を果たすことにより塗布液の洗浄をすることができる。
【００７９】
以上の構成によれば、図１〜図３の円柱ブラシ型の洗浄用ブラシ３を使用できる中継ぎ部材２及び洗浄液タンク５を利用してその洗浄用ブラシ部分を歯ブラシ型の洗浄用ブラシ３４に置き換えて歯ブラシ型のブラシとしての洗浄効果を得ることができる。
【００８０】
このとき柱状型のブラシの回転動作による洗浄を取るか、又は歯ブラシ型のブラシの洗浄を取るかは、ユーザが好みに応じて選択することができ、かくして一段と便利な化粧材料洗浄具１Ｘを得ることができる。
【００８１】
図１６は当該第７の実施の形態の変形例を示すもので、この場合歯ブラシ型洗浄用ブラシ３４の外側にカバー部材３６を被せている。
【００８２】
このようにすれば、洗浄用ブラシ３４の毛材３３に供給された洗浄液が基板３２から不規則にこぼれ落ちするのを有効に防止すると共に、当該こぼれ落ちを防止された洗浄液を逃すことなく毛材３３に戻すことができることにより洗浄液を有効に利用することができる。
【００８３】
（８）第８の実施の形態
図１７及び図１８は第８の実施の形態を示すもので、この場合の化粧材料洗浄具１Ｘは、図１との対応部分に同一符号を付して示すように、中継ぎ部材２が洗浄液タンク５及びブラシカバー４に対して回転自在に設けられている。
【００８４】
中継ぎ部材２は、図１の場合と同様に、先端側の取付け孔２Ａに洗浄用ブラシ３の心材３Ａが一体に嵌め込まれているのに対して、洗浄液タンク５の取付け孔５Ｂに対して円筒状の中継ぎ補助部材３６が当該洗浄液タンク５と一体にねじ込み保持されている。
【００８５】
この中継ぎ補助部材３６には、ブラシカバー４のカバー本体部４Ｂから後方に延長する板状のカバー保持部材４Ｃが係合保持されている。
【００８６】
この実施の形態の場合、カバー保持部材４Ｃの後端には断面半環状の狭着保持子４Ｄが生成され、この半環状の狭着保持子４Ｄが中継ぎ補助部材３６に対して外側から抱え込むように、取り外し自在に狭着保持されている。
【００８７】
カバー保持部材４Ｃは、カバー本体部４Ｂから一旦外方に折り曲がった後中継ぎ部材２の外側に沿って狭着保持子４Ｄに至るような形状をもっており、これによりカバー保持部材４Ｃは狭着保持子４Ｄからローレット２Ｂの外側を通ってカバー本体部４Ｂに連接され、これによりカバー本体部４Ｂ及び洗浄液タンク５に対して、ローレット２Ｂを有する中継ぎ部材２が、ローレット２Ｂに対する回動操作に応じて、洗浄液タンク５及び中継ぎ補助部材３６の中心線を中心として、回動できるように軸受け３７によって軸支されている。
【００８８】
この実施の形態の場合、軸受３２は、表面滑性が大きくかつ洗浄液に対する封止特性を有する円環状の合成樹脂材料で構成され、洗浄液タンク５の先端と中継ぎ補強部材３６の段部３６Ａに狭着されることにより中継ぎ部材２を軸支するようになされている。
【００８９】
以上の構成において、ユーザは化粧材料洗浄具１Ｘを使用する際には、カバー本体部４Ｂを下側位置において洗浄用ブラシ３を上方に向けた状態において、カバー本体部４Ｂの上面に沿って配置されている洗浄用ブラシ３に洗浄対象部位であるまつ毛ないしまぶたに触れさせる。
【００９０】
この状態において、ユーザは洗浄液タンク５を手のひらで加圧変形させて洗浄液タンク５内の洗浄液を中継ぎ部材２の洗浄液連通孔２Ｄを通ってカバー本体部４Ｂに押し出し供給することにより、洗浄用ブラシ３の毛材に洗浄液を含ませる。
【００９１】
この状態においてユーザは、ローレット２Ｂを操作することにより、中継ぎ部材２を往復回動動作をさせることにより、洗浄用ブラシ３に含ませた洗浄液によって洗浄対象部位を洗浄する。
【００９２】
このときカバー本体部４Ｂは洗浄用ブラシ３の下側位置において、洗浄用ブラシ３の回動動作とは連動せずに同じ位置に保持されていることにより、カバー本体部２Ｂ内の洗浄液をこぼさないようにできる。
【００９３】
以上の構成によれば、洗浄液を周囲にこぼすことなく安全かつ簡便に目の周囲に塗布ないし付着された化粧材料を洗浄液によって洗い流す化粧材料洗浄具１Ｘを実現できる。
【００９４】
（９）第９の実施の形態
図１９及び図２０は第９の実施の形態を示すもので、この場合の化粧材料洗浄具１Ｙは、図１７及び図１８との対応部分に同一符号を付して示すように、洗浄液タンク５の後端部にブラシ駆動用モータ４１を有すると共に、当該ブラシ駆動用モータ４１の出力軸が回転伝達リンク４２を介して中継ぎ部材２に連結されている。
【００９５】
この場合、図１７及び図１８のローレット２Ｂは中継ぎ部材２から取り外されており、これにより中継ぎ部材２及び洗浄用ブラシ３が回転伝達リンク４２を介してブラシ駆動用モータ４１によって回転駆動される。
【００９６】
以上の構成において、ユーザはカバー本体部４Ｂを下側位置に配置し、かつ洗浄用ブラシ３を上側位置に配置した状態で、洗浄用ブラシ３を目の周囲の洗浄対象部位に向けた状態でブラシ駆動用モータ４１を回転駆動させる。
【００９７】
この状態においてユーザは、洗浄液タンク５を手のひらで押せば洗浄液がブラシカバー４Ｂに押し出されることにより、洗浄用ブラシ３はブラシカバー４Ｂ内の洗浄液を含ませた洗浄用ブラシ３によって目の周囲の洗浄対象部位を洗浄できる。
【００９８】
かくするにつき、洗浄用ブラシ３がブラシ駆動用モータ４１によって連続的に回転できることにより、ユーザが簡便に洗浄対象部位の洗浄操作をすることができる。
【００９９】
（１０）第１０の実施の形態
図２１は第１０の実施の形態を示すもので、この場合の化粧材料洗浄具５１は、洗浄具本体５２を洗浄液槽部５３と一体に組み合せた構成を有する。
【０１００】
洗浄具本体５２は、図６との対応部分に同一符号を付して示すように、洗浄液タンク５の先端側に設けられた中継ぎ部材２から突出する洗浄用ブラシ３を、洗浄液槽部５３の側壁５３Ａに設けられた取付け具５３Ｂを通して、対向する側壁５３Ｃに設けられた取付け具５３Ｄとの間に回転自在に装架させた構成を有する。
【０１０１】
洗浄液槽部５３は、図６との対応部分に同一符号を付して示すように、受け皿部７Ａを有し、受け皿部７Ａの前壁７Ｃに頬を付けるようにして洗浄対象である目の周囲の部位を洗浄用ブラシ３と対向させるように構える。
【０１０２】
この状態において、ユーザは洗浄液タンク５を手のひらで押しながら、ローレット２Ｂを使って洗浄用ブラシ３を回動操作する。
【０１０３】
これにより洗浄液タンク５から中継ぎ部材２を通って供給された洗浄液が洗浄液ブラシ３を浸しながら洗浄用ブラシ３の回動動作に応じて毛材の先端が洗浄対象部位に触れることにより洗浄をする。
【０１０４】
この状態において、洗浄液タンク５から洗浄用ブラシ３に供給された洗浄液は周囲に飛散するが、受け皿部７Ａに回収される。
【０１０５】
また、飛散の程度に応じて受け板部７Ａを引き出せば、受け皿部７Ａの外への洗浄液の飛散を抑えることができる。
【０１０６】
以上の構成によれば、洗浄液タンク５から洗浄用ブラシ３への供給量を増大させても洗浄液を外部に飛散させることなく洗浄処理を行い得ると共に、洗浄用ブラシ３の回動量や強さを、ユーザがローレット２Ｂに対する操作を加減することにより、適度に調整することができる。
【０１０７】
以上の構成によれば、目の周囲の洗浄対象部位の洗浄を簡便に行い得る塗布液洗浄具５１を実現できる。
【０１０８】
（１１）第１１の実施の形態
図２２は第１１の実施の形態を示すもので、この場合の化粧材料洗浄具５１Ｘは、図２１との対応部分に同一符号を付して示すように、洗浄具本体５２の後端部にブラシ駆動用モータ４１を有することを除いて、図２１の場合と同様の構成を有する。
【０１０９】
図２２の構成によれば、ユーザは中継ぎ部材２のローレット２Ｂの操作をしないでも洗浄用ブラシ３を連続的に回転させることができることにより、さらに簡便な塗布液洗浄具５１Ｘを実現できる。
【０１１０】
（１２）第１２の実施の形態
図２３は第１２の実施の形態を示すもので、この場合の化粧材料洗浄具５５は四角箱型の洗浄液槽部５６を有する。
【０１１１】
洗浄液槽部５６の相対向する側壁５６Ａ及び５６Ｂには取付け具５６Ｃ及び５６Ｄが設けられ、当該取付け具５６Ｃ及び５６Ｄ間に洗浄用ブラシ５７の心材５７Ａが回転自在に装架されている。
【０１１２】
洗浄用ブラシ５７は、図１ないし図３について上述したと同様に、２本のステンレス線材の握合せ面に０．０８〔ｍｍ〕程度の細い合成樹脂系材料でなる毛材を狭着保持した構成を有する。
【０１１３】
洗浄用ブラシ５７の心材５７Ａの一端は、取付け具５６Ｃによって側壁５６Ａから外方に引き出されて回転操作部５８の出力ギア５８Ａに結合される。
【０１１４】
回転操作部５８は押下げレバー５８Ｂを有し、押下げレバー５８Ｂを下方に押し下げたとき、これと一体に、出力ギア５８Ａと歯合する平板ギア５８Ｃを下方に移動させることにより、出力ギア５８Ａ、従って洗浄用ブラシ５７の心材５７Ａを回転させる。
【０１１５】
この実施の形態の場合、押下げレバー５８Ｂの下側にはこれを上方に押し上げ偏寄する強制スプリング（図示せず）が設けられており、ユーザが押下げレバー５８Ｂの押下げ操作を止めたとき、当該押下げレバー５８Ｂを上方の偏寄位置に押し戻す。
【０１１６】
この押下げレバー５８Ｂの押上げ動作時、平板ギア５８Ｃが出力ギア５８Ａを逆方向に回転させることにより、洗浄用ブラシ５７を逆方向に回転させる。
【０１１７】
以上の構成において、洗浄液槽部５６内には、予め洗浄液が洗浄用ブラシ５７の下部を浸す程度の水位レベルまで入れられてあり、ユーザが顔の頬を洗浄液槽部５６の前壁５６Ｅに当てて洗浄対象である目の周囲部位を洗浄用ブラシ５７と対向させるように構える。
【０１１８】
この状態において、ユーザは押下げレバー５８Ｂを押下げ動作又は開放動作を繰り返せば、これにおいて洗浄用ブラシ５７が往復回転し、洗浄液ブラシ５７の洗浄液が浸された毛材の先端が洗浄対象部位に触れたとき、当該洗浄液によって洗浄対象部位を洗浄する。
【０１１９】
このとき洗浄に使われた洗浄液は洗浄液槽部５６に戻るので、外部に飛散させるおそれを有効に回避できる。
【０１２０】
以上の構成によれば、洗浄液槽部５６に入れられた多量の洗浄液を使って、目の周囲の洗浄を簡便に行うことができる化粧材料洗浄具５５を実現できる。
【０１２１】
（１３）第１３の実施の形態
図２４及び図２５は第１３の実施の形態を示すもので、この場合の化粧材料洗浄具６１はパイプ構造の中継ぎ部材６２を有する。
【０１２２】
中継ぎ部材６２は、内部空間を洗浄液連通孔６２Ａとして用いて、先端の取付け孔６２Ｂに心材６３Ａを差込み保持された洗浄用ブラシ６３に対して、後端部に差し込まれた洗浄液タンク６４からの洗浄液を供給するようになされている。
【０１２３】
洗浄液タンク６４の取付け孔６４Ａに設けられた雄ねじ６４Ｂには、中継ぎ補助部材６６の後端部に設けられた雌ねじ６６Ａがねじ込まれ、これにより取付け孔６４Ａの先端と雌ねじ６６Ａの先端側に設けられた段部６６Ｂ間に介挿された円環状の軸付け部材６７を締付け保持するようになされている。
【０１２４】
軸受け部材６７は、中継ぎ部材６２に対する表面滑性力が大きくかつ洗浄液に対する封止効果が大きい合成樹脂材料で構成され、取付け孔６４Ａと段部６６Ｂとの間に狭着保持されたとき、中継ぎ部材６２の外表面に形成された係止溝６２Ｃに回転自在に係合するようになされている。
【０１２５】
かくして中継ぎ部材６２は中継ぎ補助部材６６の先端側位置に形成されたローレット６２Ｄをユーザが回動操作したとき、軸受け部材６７によって軸支された状態で回動動作できるようになされている。
【０１２６】
この実施の形態の場合、洗浄用ブラシ６３にはこれと対向するように断面半円環状のブラシカバー６８が設けられており、ブラシカバー６８の後端部に形成された連結板部６８Ｂが中継ぎ部材６２に沿って後方に延長すると共に、ローレット６２Ｄの外側を通って中継ぎ補助部材６６の前端部にまで延長している。
【０１２７】
連結板部６８Ａの後端には断面半円環状の板状の狭着部材６８Ｂが形成され、当該狭着部材６８Ｂの内側に突出する環状突出部６８Ｃが中継ぎ補助部材６６の先端部の外周面に形成された係止環部６６Ｃに嵌め込み係止されている。
【０１２８】
以上の構成において、ユーザはブラシカバー６８を下側位置になるように化粧材料洗浄具６１を手に持った状態において、ブラシカバー６８の上面にある洗浄用ブラシ６３を洗浄対象である目の周囲の部位と対向させた状態で洗浄液タンク６４を手のひらで押すことにより洗浄液を洗浄液連通孔６２Ａを通ってブラシカバー６８に押し出し、これによりブラシカバー６８内の洗浄液を洗浄用ブラシ６３に含ませる。
【０１２９】
この状態においてユーザがローレット６２Ｄを回転操作すれば、洗浄用ブラシ６３の先端が洗浄対象に触れることにより当該洗浄用ブラシ６３に含まれた洗浄液によって洗浄対象が洗浄される。
【０１３０】
以上の構成によれば、洗浄液タンク６４内の洗浄液をユーザの操作に応じて洗浄用ブラシ６３に供給することにより洗浄対象部位を洗浄することができるが、かくするにつきブラシカバー６８を安定に洗浄用ブラシ６３の下側位置に確保することができることにより、洗浄液をこぼすことなく簡便に洗浄対象部位を洗浄することができる化粧材料洗浄具６１を実現できる。
【０１３１】
（１４）第１４の実施の形態
図２６は第１４の実施の形態を示すもので、図２５との対応部分に同一符号を付して示すように、この場合の化粧材料洗浄具６１Ｘはパイプ状の中継ぎ部材６２を洗浄液タンク６４及び中継ぎ補助部材６６とは別体に回転させるための回転操作部７１を、中継ぎ補助部材６６に設ける。
【０１３２】
回転操作部７１は洗浄液タンク６４及び洗浄用ブラシ６３間の位置に設けられ、中継ぎ部材６２に固着された傘型歯車７１Ａと歯合する傘型歯車７１Ｂを有する中間歯車７１Ｃが設けられている。
【０１３３】
中間歯車７１Ｃは、筐体７１Ｄの支軸７１Ｅによって中継ぎ部材６２の矢印ｄで示す延長方向と直交する方向の軸線上を回転するように軸支され、中継ぎ部材６２の延長方向ｄの方向に延長する平板歯車７１Ｆが筐体７１Ｄから外方に突出する操作レバー７１Ｇによって移動操作されたとき、中間歯車７１Ｃが回転するようになされている。
【０１３４】
この実施の形態の場合、筐体７１Ｄには操作レバー７１Ｇを先端側の操作開放位置に偏寄する偏寄ばね７１Ｈが設けられ、操作レバー７１Ｇを偏寄ばね７１Ｈを圧縮する方向に後方に引っ張り操作したとき、中間歯車７１Ｃの傘歯車７１Ｂを介して中継ぎ部材６２に固着された傘歯車７１Ａを回転させ、これにより中継ぎ部材６２、従って洗浄用ブラシ６３を操作レバー７１Ｇの操作に応じて回動させるようになされている。
【０１３５】
以上の構成において、ユーザは操作用ブラシ６３を洗浄対象に接触させた状態において洗浄液タンク６４を手のひらで押圧することにより洗浄液を洗浄用ブラシ６３に供給する。
【０１３６】
このとき操作レバー７１Ｇを矢印ｄの方向に操作し又は操作を解除する操作を繰り返すと、当該操作レバー７１Ｇの向きに応じて洗浄用ブラシ６３が回転方向を切り換えながら回転する。
【０１３７】
かくして洗浄液タンク６４の洗浄液を供給しながら操作レバー７１Ｇを操作することにより、回転する洗浄ブラシ６３による洗浄対象部位の洗浄を簡便に行い得る塗布液洗浄具６１Ｘを実現できる。
【０１３８】
（１５）他の実施の形態
上述の実施の形態においては、洗浄用ブラシの毛材として直径０．０８〔ｍｍ〕以下の細い合成樹脂材料の糸を先端に角をもつように直角方向に切り揃えたものを用いるようにした場合について述べたが、糸としてはこれに限らず、糸の先が細くなるような形状のものを用いても良い。
【０１３９】
また図７の第３の実施の形態においては、棒状の把持子６Ｘを中継ぎ部材２を介して洗浄用ブラシ３を直線上に配列するように構成した場合について述べたが、これに代え、中継ぎ部材２から洗浄用ブラシ３との間の心材３Ａを直角方向又は直角より鈍角方向に曲げたり、中継ぎ部材２に回転用モータを装着すると共に、把持子６Ｘに対して直角方向に心材３Ａを延長させて当該回転用モータによって回転させたりするようにても良い。
【０１４０】
なお、図１４及び図１５の実施の形態においては、柱状回転型の洗浄用ブラシ３に代えて歯ブラシ型洗浄用ブラシ３４を付け換えた場合について述べたが、これに代え、図１３の第６の実施の形態として述べたような刷毛型の洗浄用ブラシ２３を洗浄用ブラシ取付け溝３１に連結できる連結子を設けることにより当該刷毛型の洗浄用ブラシを付け換えるようにしてもよい。
【産業上の利用可能性】
【０１４１】
本発明は化粧用塗布液を洗い落とす目的の化粧材料洗浄具に利用できる。
【符号の説明】
【０１４２】
１、１Ｘ、１Ｙ、５１、５１Ｘ、６１……化粧材料洗浄具。２……中継ぎ部材、２Ａ……取り付け穴、２Ｂ……ローレット、２Ｃ……取り付けねじ、２Ｄ……洗浄液連通溝、２Ｅ……取り付け突起、２Ｆ……取り付け突起、３……洗浄用ブラシ、３Ａ……心材、３Ｂ……毛材、４……ブラシカバー、４Ａ……取り付け溝、４Ｂ……カバー本体部、４Ｃ……カバー保持部材、４Ｄ……接着保持子、５……洗浄液タンク、５Ａ……タンク本体、５Ｂ……取り付け穴、５Ｃ……取り付けねじ、６、６Ｘ……把持子、７……排液受け部、７Ａ……受け皿部、７Ｂ……受け板部、７Ｃ……軸支部、１１……洗浄液ポンプ、１１Ａ……洗浄液レバー、１２……洗浄液タンク、１２Ａ……開口、１２Ｂ、１２ＢＸ……洗浄液レバー、１２Ｃ、１２ＣＸ……受け台、２１……化粧材料洗浄部、２２……中継ぎ部材、２２Ａ……先端部、２２Ｂ……後端部、２２Ｃ……雌ねじ部、２２Ｄ……洗浄液連通溝、２２Ｅ……窓、２３……洗浄用ブラシ、２３Ａ……毛材、２３Ｂ……集束保持部材、３１……洗浄用ブラシ取り付け孔、３２……基板、３３……毛材、３４……洗浄用ブラシ、３５……連結子、３６……中継ぎ補強部材、３６Ａ……段部、３７……軸受け、４１……ブラシ駆動用モータ、４２……回転伝達リンク、５２……洗浄具本体、５３……洗浄液槽部、５３Ａ、５３Ｃ……側壁、５３Ｂ……取付け部、５３Ｄ……取付け具、５６……洗浄液槽部、５６Ａ、５６Ｂ……側壁、５６Ｃ、５６Ｄ……取付け部、５７……洗浄用ブラシ、５７Ａ……心材、５８……回転操作部、５８Ａ……出力ギア、５８Ｂ……押下げレバー、５８Ｃ……平板ギア、６２……中継ぎ部材、６２Ｂ……ローレット、６３……洗浄用ブラシ、６４……洗浄液タンク、６６……中継ぎ補強部材、６６Ａ……雌ねじ、６６Ｂ……段部、６７……軸受け部材、６８……ブラシカバー、６８Ａ……連結板部、６８Ｂ……狭着部材、７１……回転操作部、７１Ａ、７１Ｂ……傘歯車、７１Ｃ……中間歯車、７１Ｄ……筐体、７１Ｆ……平板ギア、７１Ｇ……操作レバー。
【図１】
2010158290.tif 000003
【図２】
2010158290.tif 000004
【図３】
2010158290.tif 000005
【図４】
2010158290.tif 000006
【図５】
2010158290.tif 000007
【図６】
2010158290.tif 000008
【図７】
2010158290.tif 000009
【図８】
2010158290.tif 000010
【図９】
2010158290.tif 000011
【図１０】
2010158290.tif 000012
【図１１】
2010158290.tif 000013
【図１２】
2010158290.tif 000014
【図１３】
2010158290.tif 000015
【図１４】
2010158290.tif 000016
【図１５】
2010158290.tif 000017
【図１６】
2010158290.tif 000018
【図１７】
2010158290.tif 000019
【図１８】
2010158290.tif 000020
【図１９】
2010158290.tif 000021
【図２０】
2010158290.tif 000022
【図２１】
2010158290.tif 000023
【図２２】
2010158290.tif 000024
【図２３】
2010158290.tif 000025
【図２４】
2010158290.tif 000026
【図２５】
2010158290.tif 000027
【図２６】
2010158290.tif 000028